【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
ＲＦ信号を受信するように構成され、かつ前記ＲＦ信号から得た出力データ信号を提供するように構成されるＲＦインターフェースと、
前記出力データ信号を受信するように構成され、かつ前記出力データ信号に基づいて出力アナログ信号を提供するように構成される論理回路と、
前記ＲＦインターフェースに結合され、かつ前記ＲＦ信号から得た直流動作電力を前記ＲＦインターフェースおよび前記論理回路に提供するように構成される電力回路と、
第１のインピーダンス整合トランスの巻数比を調節するように構成可能な複数のスイッチを有し、前記論理回路に結合される入力部を有し、および出力部を有する前記第１のインピーダンス整合トランスであって、前記第１のインピーダンス整合トランスは、前記論理回路から前記出力アナログ信号を受信するように構成され、かつ前記出力アナログ信号を前記出力アナログ信号より低電圧かつ高電流の変換済み出力アナログ信号に変換するように構成される、前記第１のインピーダンス整合トランスと、
前記第１のインピーダンス整合トランスの出力部に結合され、前記変換済み出力アナログ信号を前記第１のインピーダンス整合トランスの出力部から受信するように構成され、および前記出力アナログ信号に基づいて出力オーディオ信号を生成するように構成される第１のトランスデューサと、を備える、ワイヤレス装置。
【請求項２】
入力オーディオ信号を受信するように構成され、かつ前記入力オーディオ信号に基づいて入力アナログ信号を前記論理回路に提供するように構成される、第２のトランスデューサをさらに備え、
前記論理回路は、前記入力アナログ信号を受信するように構成され、かつ前記入力アナログ信号に基づいて入力データ信号を前記ＲＦインターフェースに提供するようにさらに構成され、
前記ＲＦインターフェースは、前記入力データ信号を受信するように構成され、かつ前記入力データ信号に基づいて前記ＲＦ信号を変調するようにさらに構成される、請求項１に記載のワイヤレス装置。
【請求項３】
前記第２のトランスデューサに結合される入力部と、前記論理回路に結合される出力部とを有する第２のインピーダンス整合トランスをさらに備える、請求項２に記載のワイヤレス装置。
【請求項４】
前記論理回路は、前記第２のインピーダンス整合トランスの出力部に結合される入力部を有するアナログ−デジタル変換器を備える、請求項３に記載のワイヤレス装置。
【請求項５】
前記ワイヤレス装置は着用可能なヘッドセットとして構成され、
前記第１のトランスデューサは、イヤフォン、ヘッドフォン、または前記着用可能なヘッドセットのスピーカを含み、
前記第２のトランスデューサは、前記着用可能なヘッドセットのマイクロフォンを含む、請求項２に記載のワイヤレス装置。
【請求項６】
前記論理回路は、前記第１のインピーダンス整合トランスの入力部に結合される出力部を有するデジタル−アナログ変換器を備える、請求項１に記載のワイヤレス装置。
【請求項７】
イメージをキャプチャするように構成され、かつ前記イメージに関するデータを前記論理回路に提供するように構成されるイメージセンサをさらに備える、請求項１に記載のワイヤレス装置。
【請求項８】
前記ワイヤレス装置は、テキストデータを受信するように構成され、かつ前記テキストデータに関連するデータを基地局に提供するように構成される、請求項１に記載のワイヤレス装置。
【請求項９】
前記ワイヤレス装置は一意のアドレスを有し、前記ワイヤレス装置は、バックスキャタ通信を使用してデータを基地局に送信するように構成される、請求項１に記載のワイヤレス装置。
【請求項１０】
前記基地局は、前記ＲＦ信号を使用してデータを前記ワイヤレス装置に送信するように構成される、請求項９に記載のワイヤレス装置。
【請求項１１】
ワイヤレス装置であって、
ＲＦ信号を受信するように構成され、かつ前記ＲＦ信号から得た出力データ信号を提供するように構成されるＲＦインターフェースと、
前記出力データ信号を受信するように構成され、かつ前記出力データ信号に基づいて出力アナログ信号を提供するように構成される論理回路と、
前記ＲＦインターフェースに結合され、かつ前記ＲＦ信号から得た直流動作電力を前記ＲＦインターフェースおよび前記論理回路に提供するように構成される電力回路と、
第１のインピーダンス整合トランスの巻数比を調節するように構成可能な複数のスイッチを有し、前記論理回路に結合される入力部を有し、および出力部を有する前記第１のインピーダンス整合トランスであって、前記第１のインピーダンス整合トランスは、前記論理回路から前記出力アナログ信号を受信するように構成され、かつ前記出力アナログ信号を前記出力アナログ信号より低電圧かつ高電流の変換済み出力アナログ信号に変換するように構成される、前記第１のインピーダンス整合トランスと、
前記第１のインピーダンス整合トランスの出力部に結合され、前記変換済み出力アナログ信号を前記第１のインピーダンス整合トランスの出力部から受信するように構成され、および前記出力アナログ信号に基づいて出力オーディオ信号を生成するように構成される第１のトランスデューサと、を備える、前記ワイヤレス装置と、
少なくとも１つのネットワーク接続と１つのＲＦトランシーバとを有する基地局であって、
前記ＲＦトランシーバは、前記ＲＦ信号を生成するように構成され、かつ前記ワイヤレス装置からバックスキャタ通信を受信するように構成され、
前記ワイヤレス装置は、バックスキャタ通信を使用してデータを前記基地局に通信す
るように構成される、前記基地局と、を備える、ワイヤレス通信システム。
【請求項１２】
前記ワイヤレス装置は、入力オーディオ信号を受信するように構成され、かつ前記入力オーディオ信号に基づいて入力アナログ信号を前記論理回路に提供するように構成される、第２のトランスデューサをさらに備え、
前記論理回路は、前記入力アナログ信号を受信するように構成され、かつ前記入力アナログ信号に基づいて入力データ信号を前記ＲＦインターフェースに提供するようにさらに構成され、
前記ＲＦインターフェースは、前記入力データ信号を受信するように構成され、かつ前記入力データ信号に基づいて前記ＲＦ信号を変調するようにさらに構成される、請求項１１に記載のワイヤレス通信システム。
【請求項１３】
前記ワイヤレス装置は、前記第２のトランスデューサに結合される入力部と、前記論理回路に結合される出力部とを有する第２のインピーダンス整合トランスをさらに備える、請求項１２に記載のワイヤレス通信システム。
【請求項１４】
前記論理回路は、前記第２のインピーダンス整合トランスの出力部に結合される入力部を有するアナログ−デジタル変換器を備える、請求項１３に記載のワイヤレス通信システム。
【請求項１５】
前記ワイヤレス装置は着用可能なヘッドセットとして構成され、
前記第１のトランスデューサは、イヤフォン、ヘッドフォン、または前記着用可能なヘッドセットのスピーカを含み、
前記第２のトランスデューサは、前記着用可能なヘッドセットのマイクロフォンを含む、請求項１２に記載のワイヤレス通信システム。
【請求項１６】
前記論理回路は、前記第１のインピーダンス整合トランスの入力部に結合される出力部を有するデジタル−アナログ変換器を備える、請求項１１に記載のワイヤレス通信システム。
【請求項１７】
前記ワイヤレス装置は、イメージをキャプチャするように構成され、かつ前記イメージに関するデータを前記論理回路に提供するように構成されるイメージセンサをさらに含む、請求項１１に記載のワイヤレス通信システム。
【請求項１８】
各々が一意のアドレスを有する複数のワイヤレス装置をさらに備え、
各ワイヤレス装置は、前記ＲＦ信号から得た直流動作電力を提供するように構成され、
前記基地局は、前記複数のワイヤレス装置の各々からバックスキャタ通信を受信するように構成される、請求項１１に記載のワイヤレス通信システム。
【請求項１９】
前記基地局は、前記ＲＦ信号を使用してデータを前記ワイヤレス装置の各々に送信するように構成される、請求項１８に記載のワイヤレス通信システム。
【請求項２０】
前記ワイヤレス装置は、テキストデータを受信するように構成され、かつ前記テキストデータに関連するデータを前記基地局に提供するようにさらに構成される、請求項１１に記載のワイヤレス通信システム。
【請求項２１】
ワイヤレス装置のＲＦインターフェースが、ＲＦ信号を受信し、かつ前記ＲＦ信号から得た出力データ信号を提供する工程と、
前記ワイヤレス装置の論理回路が、前記出力データ信号を受信し、かつ前記出力データ信号に基づいて出力アナログ信号を提供する工程と、
前記ワイヤレス装置の電力回路が、前記ＲＦ信号から得た直流動作電力を前記ＲＦインターフェースおよび前記論理回路に提供する工程と、
前記ワイヤレス装置の第１のインピーダンス整合トランスであって、その第１のインピーダンス整合トランスの巻数比を調節するように構成可能な複数のスイッチを有する前記第１のインピーダンス整合トランスが、前記論理回路から前記出力アナログ信号を受信し、かつ前記出力アナログ信号を前記出力アナログ信号より低電圧かつ高電流の変換済み出力アナログ信号に変換する工程と、
前記ワイヤレス装置の第１のトランスデューサが、前記変換済み出力アナログ信号を前記第１のインピーダンス整合トランスから受信し、かつ前記出力アナログ信号に基づいて出力オーディオ信号を生成する工程と、を含む、方法。
【請求項２２】
前記ワイヤレス装置の第２のトランスデューサが、入力オーディオ信号を受信し、かつ前記入力オーディオ信号に基づいて入力アナログ信号を前記論理回路に提供する工程と、
前記ワイヤレス装置の前記論理回路が、前記入力アナログ信号を受信し、かつ前記入力アナログ信号に基づいて入力データ信号を前記ＲＦインターフェースに提供する工程と、
前記ワイヤレス装置の前記ＲＦインターフェースが、前記入力データ信号を受信し、かつ前記入力データ信号に基づいて前記ＲＦ信号を変調する工程と、をさらに含む、請求項２１に記載の方法。
【請求項２３】
前記ワイヤレス装置は、前記第２のトランスデューサの出力部に結合される入力部と、前記論理回路に結合される出力部とを有する第２のインピーダンス整合トランスを備える、請求項２２に記載の方法。
【請求項２４】
前記論理回路は、前記第２のインピーダンス整合トランスの出力部に結合される入力部を有するアナログ−デジタル変換器を備える、請求項２３に記載の方法。
【請求項２５】
前記ワイヤレス装置は着用可能なヘッドセットとして構成され、
前記第１のトランスデューサは、イヤフォン、ヘッドフォン、または前記着用可能なヘッドセットのスピーカを含み、
前記第２のトランスデューサは、前記着用可能なヘッドセットのマイクロフォンを含む、請求項２２に記載の方法。
【請求項２６】
前記論理回路は、前記第１のインピーダンス整合トランスに結合される出力部を有するデジタル−アナログ変換器を備える、請求項２１に記載の方法。
【請求項２７】
前記ワイヤレス装置のイメージセンサが、イメージをキャプチャし、かつ前記イメージに関するデータを前記論理回路に提供する工程をさらに含む、請求項２１に記載の方法。
【請求項２８】
前記ワイヤレス装置が、テキストデータを受信する工程と、
前記ワイヤレス装置が、前記テキストデータに関連するデータを基地局に提供する工程と、をさらに含む、請求項２１に記載の方法。
【請求項２９】
前記ワイヤレス装置は一意のアドレスを有し、前記方法は、
前記ワイヤレス装置が、バックスキャタ通信を使用してデータを基地局に送信する工程をさらに含む、請求項２１に記載の方法。
【請求項３０】
前記基地局は、前記ＲＦ信号を使用してデータを前記ワイヤレス装置に送信するように構成される、請求項２９に記載の方法。
【請求項３１】
基地局が、ＲＦ信号を生成する工程と、
ワイヤレス装置のＲＦインターフェースが、ＲＦ信号を受信し、かつ前記ＲＦ信号から得た出力データ信号を提供する工程と、
前記ワイヤレス装置の論理回路が、前記出力データ信号を受信し、かつ前記出力データ信号に基づいて出力アナログ信号を提供する工程と、
前記ワイヤレス装置の電力回路が、前記ＲＦ信号から得た直流動作電力を前記ＲＦインターフェースおよび前記論理回路に提供する工程と、
前記ワイヤレス装置の第１のインピーダンス整合トランスであって、前記第１のインピーダンス整合トランスの巻数比を調節するように構成可能な複数のスイッチを有する前記第１のインピーダンス整合トランスが、前記論理回路から前記出力アナログ信号を受信し、かつ前記出力アナログ信号を前記出力アナログ信号より低電圧かつ高電流の変換済み出力アナログ信号に変換する工程と、
前記ワイヤレス装置の第１のトランスデューサが、前記変換済み出力アナログ信号を前記第１のインピーダンス整合トランスから受信し、かつ前記出力アナログ信号に基づいて出力オーディオ信号を生成する工程と、
前記ワイヤレス装置が、バックスキャタ通信を使用してデータを基地局に通信する工程と、
前記基地局が、前記ワイヤレス装置から前記バックスキャタ通信を受信する工程と、を含む、方法。
【請求項３２】
前記ワイヤレス装置の第２のトランスデューサが、入力オーディオ信号を受信し、かつ前記入力オーディオ信号に基づいて入力アナログ信号を前記論理回路に提供する工程と、
前記ワイヤレス装置の前記論理回路が、前記入力アナログ信号を受信し、かつ前記入力アナログ信号に基づいて入力データ信号を前記ＲＦインターフェースに提供する工程と、
前記ワイヤレス装置の前記ＲＦインターフェースが、前記入力データ信号を受信し、かつ前記入力データ信号に基づいて前記ＲＦ信号を変調する工程と、をさらに含む、請求項３１に記載の方法。
【請求項３３】
前記ワイヤレス装置は、前記第２のトランスデューサの出力部に結合される入力部と、前記論理回路に結合される出力部とを有する第２のインピーダンス整合トランスを備える、請求項３２に記載の方法。
【請求項３４】
前記論理回路は、前記第２のインピーダンス整合トランスの出力部に結合される入力部を有するアナログ−デジタル変換器を備える、請求項３３に記載の方法。
【請求項３５】
前記ワイヤレス装置は着用可能なヘッドセットとして構成され、
前記第１のトランスデューサは、イヤフォン、ヘッドフォン、または前記着用可能なヘッドセットのスピーカを含み、
前記第２のトランスデューサは、前記着用可能なヘッドセットのマイクロフォンを含む、請求項３２に記載の方法。
【請求項３６】
前記論理回路は、前記第１のインピーダンス整合トランスに結合される出力部を有するデジタル−アナログ変換器を備える、請求項３１に記載の方法。
【請求項３７】
前記ワイヤレス装置のイメージセンサが、イメージをキャプチャし、かつ前記イメージに関するデータを前記論理回路に提供する工程をさらに含む、請求項３１に記載の方法。
【請求項３８】
前記ワイヤレス装置が、テキストデータを受信する工程と、
前記ワイヤレス装置が、前記テキストデータに関連するデータを前記基地局に提供する工程と、をさらに含む、請求項３１に記載の方法。
【請求項３９】
前記基地局が、複数のワイヤレス装置のうちの１つを選択する工程であって、各ワイヤレス装置は一意のアドレスを有し、前記ＲＦ信号から得た直流動作電力を提供するように構成される、前記選択する工程と、
前記基地局が、前記複数のワイヤレス装置のうちの前記１つからバックスキャタ通信を受信する工程と、をさらに含む、請求項３１に記載の方法。
【請求項４０】
前記基地局が、前記ＲＦ信号を使用してデータを前記基地局から前記ワイヤレス装置の各々に送信する工程と、をさらに含む、請求項３９に記載の方法。